(57)【要約】【課題】複合的な臭気にも広く利用でき、しかも脱臭要素と悪臭空気との接触効率を高められる脱臭方法および装置を提供する。【解決手段】脱臭室２内の悪臭空気３にオゾン水７を水膜状として散布して、悪臭空気３中の悪臭成分をオゾン水７の水により溶解し、かつ悪臭空気３中の悪臭成分をオゾン水７中のオゾンにより分解するとともに、脱臭室２内に配置された担体１０の表面の光触媒層９に反応促進用の光を照射することにより、光触媒の分解反応により、悪臭を分解し、悪臭空気３を脱臭する。【選択図】　　　図１
2004024385.tif 000002
【特許請求の範囲】
【請求項１】
悪臭空気にオゾン水を水膜状として散布することにより、悪臭空気中の悪臭成分を水により溶解し、かつ悪臭空気中の悪臭成分をオゾンにより分解するとともに、光触媒層に反応促進用の光を照射し、光触媒の分解反応により、悪臭空気を脱臭することをことを特徴とする脱臭方法。
【請求項２】
脱臭室内に悪臭空気の入り口および脱臭空気の排出口を形成するとともに、脱臭室内にオゾン水を水膜状として散布するノズルを設け、さらに脱臭室内に、光触媒層を有する担体および担体の光触媒層を照射するランプを配置することを特徴とする脱臭装置。
【請求項３】
オゾン水に悪臭分解溶液を混入させおくことを特徴とする請求項２記載の脱臭装置。
【請求項４】
担体を孔あき構造とし、孔あき構造の担体の表面に光触媒層を形成することを特徴とする請求項２または請求項３記載の脱臭装置。
【請求項５】
光触媒層の光触媒を二酸化チタンと酸化タングステンとの混合物により構成することを特徴とする請求項２、請求項３または請求項４記載の脱臭装置。
【発明の詳細な説明】
【０００１】
【発明が属する技術分野】
本発明は、オゾン水および光触媒層を用いて悪臭空気を脱臭する脱臭方法および脱臭装置に関する。
【０００２】
【従来の技術】
特開平５−１５４８８号公報は、光触媒を用いて悪臭空気を脱臭する技術を開示している。また、オゾンは、臭気を分解することから、従来から脱臭手段として利用されている。
【０００３】
【発明が解決しようとする課題】
光触媒やオゾンは、すべての臭気成分に有効に作用するものでないため、従来の脱臭技術は、特定の用途にしか利用できない。また、脱臭過程で、光触媒（固体層）と悪臭空気（気体）とは、固体層の面と気体とで接触し、接触効率に限界があるため、光触媒またはオゾンは、単体で利用するという形態である限り、大容量の脱臭装置に不向きである。
【０００４】
したがって、本発明の目的は、複合的な臭気にも広く利用でき、しかも脱臭要素と悪臭空気との接触効率を高められる脱臭方法および装置を提供することである。
【０００５】
【課題を解決するための手段】
上記目的のもとに、本発明は、脱臭方法として、悪臭空気にオゾン水を水膜状として散布することにより、悪臭空気中の悪臭成分を水により溶解し、かつ悪臭空気中の悪臭成分をオゾンにより分解するとともに、光触媒層に反応促進用の光を照射し、光触媒の分解反応により、悪臭空気を脱臭している（請求項１）。
【０００６】
また、本発明は、脱臭装置において、脱臭室内に悪臭空気の入り口および脱臭空気の排出口を形成するとともに、脱臭室内にオゾン水を水膜状として散布するノズルを設け、さらに脱臭室内に、光触媒層を有する担体および担体の光触媒層を照射するランプを配置している（請求項２）。
【０００７】
オゾン水は、悪臭成分に応じた悪臭分解溶液を含有している（請求項３）。また、担体は、孔あき構造として構成されており、孔あき構造の担体の表面に光触媒層を形成している（請求項４）。さらに、光触媒層は、好ましくは二酸化チタンと酸化タングステンとの混合物により構成されている（請求項５）。
【０００８】
【発明の実施の形態】
図１は、本発明の脱臭方法および脱臭方法を実施するための脱臭装置１を示している。脱臭装置１は、ケーシングなどにより形成された脱臭室２により構成されており、脱臭室２は、下部で悪臭空気３を取り込むためのの入り口４を有し、また上部で脱臭処理後の脱臭空気３１を排出するための排出口５を有している。なお、排出口５は、脱臭空気３１の吸引のためにブロア６に接続されている。
【０００９】
また、脱臭室２は、その脱臭室内にオゾン水７を水膜状として散布するために１または２以上の例えば棒状のノズル８を備えるとともに、脱臭室内に光触媒層９を有する１または２以上の担体１０、および担体１０の表面の光触媒層９に光特に紫外線領域の光を照射する防水型ブラックライトなどのランプ１１を脱臭室内または脱臭室外に備えている。
【００１０】
オゾン水７は、水にオゾンを混入したものであり、タンク１２に収容されていて、ポンプ１３によってノズル８に所定の圧力で供給され、脱臭室２の内部で脱臭の作用をした後に回収口１４からタンク１２に戻り、この経路を循環する。なお、オゾン水７は、必要に応じて、悪臭空気３の中の悪臭成分に応じた悪臭分解溶液を含んでいる。
【００１１】
また、担体１０は、ハニカム構造、パンチングメタル、網などの表面積の大きな孔あき構造として構成されており、孔あき構造の全表面で光触媒層９を形成している。図示の例で、脱臭室２の内部は、複数例えば４枚の仕切り板１５を異なる傾きで交互に配置されているため、脱臭室２の内部は、悪臭空気３のジグザグ状迷路状の空気通路となっている。この仕切り構造に対応して、複数例えば４枚の担体１０は、迷路状の空気通路をさえぎる状態として脱臭室２の内壁と担体１０との間、あるいは上下の担体１０の間に取り付けられている。
【００１２】
光触媒層９は、代表的な光触媒として二酸化チタンにより形成されるが、必要に応じて、二酸化チタンと酸化タングステンとの混合物により構成する。二酸化チタンと酸化タングステンとは、紫外線領域の光に励起され、電子、正孔を互いに作用させ、このときの相乗効果により、悪臭成分の分解能を高めるのに有効である。
【００１３】
なお、図示の例で、仕切り板１５が脱臭室２の内に傾きを異ならせて交互に配置されていることと対応して、ノズル８やランプ１１は、脱臭室２の内部で上下の仕切り板１５の間に位置し、担体１０と対向している。
【００１４】
脱臭時に、ノズル８は、脱臭室２の内部にオゾン水７を水膜状として散布するとともに、ランプ１１は、脱臭室２の内の光触媒層９に光とくに紫外線領域の光を照射している。この状態で、悪臭空気３は、ブロア６の吸引作用により入り口４から脱臭室２の内部に取り込まれる。
【００１５】
脱臭室２の内で、散布されたオゾン水７は、悪臭空気３中の水溶性悪臭成分を水により溶解すると同時に、悪臭空気３中の悪臭成分の分子をオゾンにより分解し、オゾン水７中に取り込む。また、光触媒層９は、ランプ１１から反応促進用の光を受けて、悪臭成分に対する光触媒の分解反応（酸化・還元反応）により、悪臭空気３を脱臭する。このようにして、悪臭空気３は、脱臭室２の内で、吸引による流れの過程で、水膜状のオゾン水７に強制的に接触し、オゾンおよび光触媒の分解反応により脱臭され、脱臭空気３１となる。
【００１６】
前記のとおり、オゾン水７が悪臭空気３の中の悪臭成分に応じた悪臭分解溶液を含んでおれば、特定の悪臭成分は、悪臭分解溶液に溶け、オゾン水７に能率よく溶解する。また、光触媒層９が二酸化チタンと酸化タングステンとの混合物であれば、その混合物は、両成分の相乗効果により、悪臭成分を高い分解能で分解する。なお、オゾンおよび光触媒は、脱臭のほか、同時に殺菌作用も発揮する。また、オゾン水７がマイナスイオンを含有しておれば、脱臭空気３１に健康増進効果も期待できる。
【００１７】
【発明の効果】
本発明では、悪臭空気にオゾン水を水膜状として散布し、悪臭空気中の悪臭成分を水により溶解し、オゾンにより分解するとともに、光触媒層に反応促進用の光を照射し、光触媒の分解反応により、悪臭空気を脱臭するから、複合的な臭気成分が分解でき、しかも、水を利用して脱臭要素としてのオゾンおよび光触媒と悪臭空気の悪臭分子とを強制的に接触させるから、脱臭効率が高められ、従来の装置に比較して脱臭能力が大幅に改善される。
【００１８】
オゾン水に悪臭分解溶液が混入されていると、オゾン水の散布過程で、悪臭分解溶液による悪臭の分解が可能となり、これにより分解可能な悪臭成分が拡げられる。
【００１９】
担体が孔あき構造であって、孔あき構造の担体の表面に光触媒層が形成されていると、光触媒層の受光面積が大きくなり、その分、光触媒による悪臭分解能が高められる。
【００２０】
光触媒層が二酸化チタンと酸化タングステンとの混合物によって構成されていると、二酸化チタンと酸化タングステンとの相乗効果により、光触媒の能力強化の観点からも、悪臭成分の分解能が高められる。
【図面の簡単な説明】
【図１】本発明の脱臭方法を実施するための脱臭装置の系統図である。
【符号の説明】
１　脱臭装置
２　脱臭室
３　悪臭空気　　３１　脱臭空気
４　入り口
５　排出口
６　ブロア
７　オゾン水
８　ノズル
９　光触媒層
１０　担体
１１　ランプ
１２　タンク
１３　ポンプ
１４　回収口
１５　仕切り板
【図１】
2004024385.tif 000003